(57)【特許請求の範囲】
【請求項１】
ガス流路に流れるガスの瞬時流量を検出する瞬時流量計測手段と、この瞬時流量計測手段によって検出された瞬時流量を基に積算流量をカウントする積算流量カウント手段と、この積算流量カウント手段によって求められた積算流量を主表示部及び補助表示部で表示する積算流量表示手段と、前記瞬時流量計測手段で計測した流量が異常流量であるか否かを判定して異常判定したときに遮断信号を出力すると同時に異常流量値及び補助表示切替信号を出力する異常判定手段と、この異常判定手段から出力される遮断信号によりガス流路を遮断する遮断弁と、前記異常判定手段から出力された異常流量値を記憶すると共に異常流量値を出力する異常流量記憶手段と、異常判定手段から出力された補助表示切替信号を受信して積算流量表示手段の補助表示部に前記異常流量記憶手段から出力された異常流量値を表示させる補助表示切替手段とを備えてなることを特徴とするガス遮断装置。
【請求項２】
操作入力あるいは通信手段を通じた補助表示切替要求を入力する補助表示切替入力手段を備え、この補助表示切替入力手段からの補助表示切替信号が出力されたとき、補助表示切替手段により積算流量表示手段の補助表示部に瞬時流量計測手段で計測した瞬時流量を表示させる請求項１記載のガス遮断装置。
【発明の詳細な説明】
【０００１】
【発明の属する技術分野】
本発明は、ガス流路を流れるガスの瞬時流量を計測し、異常な流量が検出されたときにガス流路を遮断してガス使用上の安全を図ると共に、積算流量の表示に併せて瞬時流量の表示をも可能にしたガス遮断装置に関するものである。
【０００２】
【従来の技術】
従来技術になるガス遮断装置の構成を図４に示す。瞬時流量計測手段１は超音波センサ等によりガス流路を流れるガスの瞬時流量を計測し、積算流量カウント手段２は瞬時流量を基に積算流量（ガス使用量）を演算しカウントする。積算流量カウント手段２によって求められた積算流量は積算流量表示手段３に表示される。積算流量表示手段３はＬＣＤ等により構成され、主表示部３ａに積算流量のｍ3 桁を、補助表示部３ｂにＬ桁を表示する。また、異常判定手段４は瞬時流量計測手段１で計測された瞬時流量が異常な流量であるか否かを判定し、異常判定した場合には遮断信号を出力するので、遮断信号により遮断弁５が作動してガス流路を遮断する。
【０００３】
【発明が解決しようとする課題】
しかしながら、上記従来構成になるガス遮断装置では、積算流量表示手段３に表示されるのは積算流量であり、例えば、ガスメータの設置後のガス配管から微小なガス漏れを検査するのにガス配管を流れるガスの瞬時流量が表示されることが望まれていた。しかし、ガス需要家には瞬時流量の表示は必要なく、また、瞬時流量のために表示部を増加させるのは実用的ではない。
【０００４】
本発明が目的とするところは、積算流量表示手段に瞬時流量を切替表示できるようにしたガス遮断装置を提供することにある。
【０００８】
【課題を解決するための手段】
上記目的を達成するための本願の第１発明は、ガス流路に流れるガスの瞬時流量を検出する瞬時流量計測手段と、この瞬時流量計測手段によって検出された瞬時流量を基に積算流量をカウントする積算流量カウント手段と、この積算流量カウント手段によって求められた積算流量を主表示部及び補助表示部で表示する積算流量表示手段と、前記瞬時流量計測手段で計測した流量が異常流量であるか否かを判定して異常判定したときに遮断信号を出力すると同時に異常流量値及び補助表示切替信号を出力する異常判定手段と、この異常判定手段から出力される遮断信号によりガス流路を遮断する遮断弁と、前記異常判定手段から出力された異常流量値を記憶して出力する異常流量記憶手段と、異常判定手段から出力された補助表示切替信号を受信して積算流量表示手段の補助表示部に前記異常流量記憶手段から出力された異常流量値を表示させる補助表示切替手段とを備えてなることを特徴とする。
【０００９】
この構成によれば、ガスの異常使用を判定してガス供給を停止したとき、異常判定時の瞬時流量値が記憶され、この記憶された異常流量値を積算流量表示手段の補助表示部に表示させることができるので、ガス事業者はガス供給停止時の異常流量値を基にして異常発生の原因解析を行うことができる。
【００１０】
また本願の第２発明は、上記構成において、操作入力あるいは通信手段により補助表示切替要求を入力する補助表示切替入力手段を備え、この補助表示切替入力手段からの補助表示切替信号が出力されたとき、補助表示切替手段により積算流量表示手段の補助表示部に瞬時流量計測手段で計測した瞬時流量を表示させるように構成している。よって異常判定時の瞬時流量の表示と任意に表示要求する瞬時流量とを切り替え表示することができる。
【００１１】
【発明の実施の形態】
以下、添付図面を参照して本発明の実施形態について説明し、本発明の理解に供する。尚、以下に示す実施形態は本発明を具体化した一例であって、本発明の技術的範囲を限定するものではない。
【００１２】
まず、第１の実施形態に係るガス遮断装置について、図１を参照して説明する。尚、従来構成と共通する要素には同一の符号を付している。
【００１３】
図１において、ガス流路（ガス配管）に設置された超音波センサ等の測定手段を用いて瞬時流量計測手段１によりガス流路を流れるガスの瞬時流量が計測される。ここで計測された瞬時流量は積算流量カウント手段２により積算流量が演算されカウントされる。また、瞬時流量計測手段１で計測された瞬時流量は異常判定手段４に入力され、瞬時流量が異常なものであるか否かが判定され、異常判定がなされたときには遮断信号が出力されて遮断弁５によりガス流路が遮断され、ガス供給を停止してガス使用の安全を図っている。
【００１４】
前記積算流量カウント手段２でカウントされた積算流量は、補助表示切替手段７を通して積算流量表示手段３に表示される。積算流量表示手段３はＬＣＤ等により構成され、積算流量のｍ3 桁（４桁）を主表示部３ａに、Ｌ桁（３桁）を補助表示部３ｂに表示する。
【００１５】
例えば、ガスメータ設置後のガス配管からの微小なガス漏れを検査したい場合、遮断弁５を開放させる弁開スイッチ、遮断弁５のテスト遮断を行うためのテストスイッチ、ガスボンベの交換を行うボンベスイッチ、外部設定器、電話回線を通じた通信回線等で実現される補助表示切替入力手段６に切替要求を入力すると、補助表示切替入力手段６から出力される補助表示切替信号により補助表示切替手段７は積算流量の表示から瞬時流量計測手段１からの瞬時流量の表示に切り換え、補助表示部３ｂに瞬時流量を表示（例えば、瞬時流量の上位３桁）する。この瞬時流量の表示は一定時間、または次に補助表示切替入力手段６に操作入力がなされるまで表示させることができる。この間、ガス使用量の課金対象である主表示部３ａの表示はそのまま継続される。
【００１６】
この構成により積算流量表示手段３の一部（補助表示部３ｂ）に瞬時流量を切り替え表示することができるようになり、ガス事業者がガスメータの設置後にガス配管からの微小なガス漏れの確認を行ったり、ガス器具使用時のガス使用量を即座に計測できるなどメンテナンスに利用するのに効果的である。
【００１７】
次に、第２の実施形態に係るガス遮断装置について、図２を参照して説明する。尚、先の構成と共通する要素には同一の符号を付し、その説明は省略する。
【００１８】
図２において、補助表示許可手段８は、遮断弁５を開放させる弁開スイッチ、遮断弁５のテスト遮断を行うためのテストスイッチ、ガスボンベの交換を行うボンベスイッチ、外部設定器、電話回線を通じた通信回線等で実現され、ガス事業者が所定の信号またはパスワードの入力により補助表示部３ｂへの瞬時流量の表示の許可または禁止を設定することができるように構成したものである。
【００１９】
この補助表示許可手段８により補助表示が許可されたとき、補助表示切替入力手段６への操作入力により補助表示切替信号が補助表示切替手段７に出力され、補助表示部３ｂにはガスの瞬時流量が表示される。逆に補助表示が許可されていなければ、補助表示切替入力手段６からの補助表示切替信号は補助表示切替手段７に出力されず、補助表示部３ｂは積算流量のＬ桁表示を継続する。
【００２０】
このように補助表示部３ｂにガスの瞬時流量を切替表示させることを許可した場合にのみ切替表示可能とすることで、ガス需要家の悪戯防止ができ、ガス事業者のみがガスの瞬時流量を切替表示させることができる。
【００２１】
次いで、第３の実施形態に係るガス遮断装置について、図３を参照して説明する。尚、先の構成と共通する要素には同一の符号付し、その説明は省略する。
【００２２】
図３において、異常判定手段４ａは瞬時流量計測手段１で計測された瞬時流量が異常な流量であるか否かを判定し、異常判定したときには遮断弁５を作動させてガス流路を遮断し、ガス供給を停止してガス使用の安全を図ると同時に、異常流量記憶手段９に判定した異常流量を出力し、補助表示切替手段７ａに補助表示切替信号を出力する。補助表示切替信号を受信した補助表示切替手段７ａは異常流量記憶手段９に記憶された異常流量を積算流量表示手段３の補助表示部３ｂに表示（例えば、異常流量の上位３桁）する。この間ガス使用量の課金対象である主表示部３ａの表示は継続される。この後、遮断弁５を開放してガスの供給を再開すれば、補助表示部３ｂには積算流量のＬ桁が再表示される。
【００２３】
このようにガス使用の異常を判定してガス供給を停止した場合、異常判定時のガス瞬時流量を記憶して、積算流量表示手段３の一部（補助表示部３ｂ）にその記憶した異常流量を切替表示することでガス事業者がガス供給停止時の瞬時流量を基にして原因解析することが可能となる。
【００２４】
また、補助表示切替入力手段６を設け、ここから切替要求を入力することによって、補助表示切替手段７ａにより補助表示部３ｂの表示を瞬時流量の表示に切り替えることができ、異常流量の表示だけでなく、任意に瞬時流量を表示することができ、ガス漏れ検査等に有効に利用することができる。
【００２５】
【発明の効果】
以上の説明の通り本発明によれば、異常流量の判定により遮断弁によりガス流路が遮断されたとき、異常流量を積算流量の表示手段の一部に表示させることもでき、異常流量が生じた原因の解析に有効利用することができる。
【図面の簡単な説明】
【図１】第１の実施形態に係るガス遮断装置の構成を示すブロック図。
【図２】第２の実施形態に係るガス遮断装置の構成を示すブロック図。
【図３】第３の実施形態に係るガス遮断装置の構成を示すブロック図。
【図４】従来構成になるガス遮断装置の構成を示すブロック図。
【符号の説明】
１  瞬時流量計測手段
２  積算流量カウント手段
３  積算流量表示手段
３ａ  主表示部
３ｂ  補助表示部
４  異常判定手段
５  遮断弁
６  補助表示切替入力手段
７  補助表示切替手段
８  補助表示許可手段
９  異常流量記憶手段
【図１】
0004651784.tif 000002
【図２】
0004651784.tif 000003
【図３】
0004651784.tif 000004
【図４】
0004651784.tif 000005